(57)【要約】【課題】設置場所を選ばないでエアフィルターの自動清掃装置を搭載した空気調和機のフィルター装置を提供すること。【解決手段】本発明の空気調和機のフィルター装置は、熱交換器を通過する空気中の埃を捕集するエアフィルター２と、エアフィルター２を支持する支持枠１と、エアフィルター２の上流側の表面に設けられその表面に沿って移動してエアフィルター表面の埃を吸引する吸引ノズル３と、吸引ノズル３に接続される吸引ダクト５と、吸引ダクト５と接続して埃を吸引する吸引装置６と、吸引ダクト５と吸引装置６の間に埃を溜める集塵部１８とを設けた。【選択図】図１
2011149588.tif 000002
【特許請求の範囲】
【請求項１】
熱交換器を通過する空気中の埃を捕集するエアフィルターと、前記エアフィルターを支持する支持枠と、前記エアフィルターの上流側の表面に設けられその表面に沿って移動してエアフィルター表面の埃を吸引する吸引ノズルと、吸引ノズルに接続される吸引ダクトと、前記吸引ダクトと接続して埃を吸引する吸引装置と、前記吸引ダクトと吸引装置の間に埃を溜める集塵部とを設けたことを特徴とする空気調和機。
【請求項２】
前記集塵部を、支持枠に固定された集塵固定枠と、集塵固定枠の上部に設けられた集塵箱とで構成し、前記集塵固定枠の一方を吸引ダクトに接続し、前記集塵固定枠の他方を吸引装置に接続し、前記集塵箱を前記集塵固定枠に対して着脱自在に設けたことを特徴とする請求項１に記載の空気調和機。
【請求項３】
前記集塵固定枠の一方に接合溝と、前記集塵固定枠の他方に左右にスライド可能な接合ピースとを備え、前記集塵箱の一方を前記接合溝に接合させ、前記集塵箱の他方を前記接合ピースを介して前記集塵固定枠と接合させたことを特徴とする請求項２に記載の空気調和機。
【請求項４】
前記集塵箱の内部に、前記集塵箱の長手方向にその矩形の長辺を配置した着脱可能な除塵フィルターを設けたことを特徴とする請求項２または３に記載の空気調和機。
【発明の詳細な説明】
【技術分野】
【０００１】
本発明は、エアフィルターの清掃を自動的に行うようにした空気調和機のフィルター装置に関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、フィルターのメンテナンスの手間を低減する目的で、エアフィルターに付着した埃を自動で吸引清掃する装置が考案されている（例えば、特許文献１参照）。
【先行技術文献】
【特許文献】
【０００４】
【特許文献１】特開２００５−１４０４０３号公報
【発明の概要】
【発明が解決しようとする課題】
【０００５】
しかしながら、上記従来技術は、エアフィルターに付着した埃を吸引ノズルから吸引して、吸引ダクト、吸引装置を経由して室外へ排出するというメンテナンスの要らない方式であるため、このフィルター装置を搭載する空気調和機を、埃が排出困難な場所（たとえば、空気調和機が埋め込み配管工事をしていて埃の排出経路を確保できない場合など）へ設置することができないという課題を有していた。
【０００６】
本発明は、前記従来の課題を解決するもので、設置場所を選ばないでエアフィルターの自動清掃装置を搭載した空気調和機のフィルター装置を提供することを目的とする。
【課題を解決するための手段】
【０００７】
前記従来の課題を解決するために、本発明の空気調和機のフィルター装置は、熱交換器を通過する空気中の埃を捕集するエアフィルターと、エアフィルターを支持する支持枠と、エアフィルターの上流側の表面に設けられその表面に沿って移動してエアフィルター表面の埃を吸引する吸引ノズルと、吸引ノズルに接続される吸引ダクトと、吸引ダクトと接続して埃を吸引する吸引装置と、吸引ダクトと吸引装置の間に埃を溜める集塵部とを設けたことにより、埃を室外へ排出しないで溜めることが可能となり、空気調和機の設置場所の制約がなくなる。
【発明の効果】
【０００８】
本発明の空気調和機は、設置場所を選ばないでエアフィルターの自動清掃装置を搭載した空気調和機のフィルター装置を提供することができる。
【図面の簡単な説明】
【０００９】
【図１】本発明の実施の形態における空気調和機のフィルター装置の斜視図
【図２】同実施の形態１における吸引ノズルの斜視図
【図３】ＡＡ断面図
【図４】ＢＢ断面図
【図５】同実施の形態１における集塵部の斜視図
【図６】同実施の形態１における集塵部の分解図
【図７】同実施の形態１における集塵部の分解図
【図８】ＣＣ断面図
【図９】（ａ）接合ピース移動前のＤＤ断面図（ｂ）接合ピース移動後のＤＤ断面図
【図１０】同実施の形態１における集塵箱の内部の構成を示す簡易正面図
【発明を実施するための形態】
【００１０】
第１の発明の空気調和機のフィルター装置は、熱交換器を通過する空気中の埃を捕集するエアフィルターと、エアフィルターを支持する支持枠と、エアフィルターの上流側の表面に設けられその表面に沿って移動してエアフィルター表面の埃を吸引する吸引ノズルと、吸引ノズルに接続される吸引ダクトと、吸引ダクトと接続して埃を吸引する吸引装置と、吸引ダクトと吸引装置の間に埃を溜める集塵部とを設けたことにより、埃を室外へ排出しないで溜めることが可能となり、空気調和機の設置場所の制約がなくなる。
【００１１】
第２の発明の空気調和機のフィルター装置は、特に第１の発明において、集塵部を、支持枠に固定された集塵固定枠と、集塵固定枠の上部に設けられた集塵箱とで構成し、集塵固定枠の一方を吸引ダクトに接続し、集塵固定枠の他方を吸引装置に接続し、集塵箱を集塵固定枠に対して着脱自在に設けたことにより、集塵部の固定を安定させることができ、また集塵箱のメンテナンス性が向上する。
【００１２】
第３の発明の空気調和機のフィルター装置は、特に第２の発明において、集塵固定枠の一方に接合溝と、集塵固定枠の他方に左右にスライド可能な接合ピースとを備え、集塵箱の一方を接合溝に接合させ、集塵箱の他方を接合ピースを介して集塵固定枠と接合させたことにより、集塵固定枠と集塵箱を簡単に接合できて操作性が良好であるばかりでなくシール性も確保できる。
【００１３】
第４の発明の空気調和機のフィルター装置は、特に第２または第３の発明において、集塵箱の内部に、集塵箱の長手方向にその矩形の長辺を配置した着脱可能な除塵フィルターを設けたことにより、フィルター面積を最大限にして埃を溜める量を増大させることができるばかりでなく、集塵箱の埃を捨てる作業が容易に出来ることになる。また、除塵フィルターを取り外して使用すれば、埃を従来のように吸引装置から室外へ排出させる使い方も可能となり、汎用性が向上する。
【００１４】
以下、本発明の実施の形態について、図面を参照しながら説明する。なお、この実施の形態によって本発明が限定されるものではない。
【００１５】
（実施の形態１）
図１から図１０は、本発明の実施の形態における空気調和機のフィルター装置の構成図を示したものである。図１において、熱交換器を通過する空気中の埃を捕集するエアフィルター２は、支持枠１に支持固定され、エアフィルター２の表面に沿って移動可能な吸引ノズル３が設けられている。
【００１６】
また、吸引ノズル３は支持枠１の上下端に設置されたガイドレール４により支持されて、エアフィルター２と極めて狭い隙間を保って円滑に左右に移動することができ、エアフィルター２上に付着した塵埃は、吸引ノズル３より吸引される。ここで、吸引ノズル３は、支持枠１の下部に備えたワイヤーとモータ（図示せず）で左右に駆動される。
【００１７】
そして、吸引ノズル３には吸引ダクト５が連結され、吸引ダクト５には集塵部１８が連
結され、集塵部１８には吸引装置６に連結されている。ここで、吸引ダクト５は吸引ノズル３の左右の移動に差し支えないように、屈曲自在なダクトで形成される。
【００１８】
また、集塵部１８は、吸引ノズル３と吸引ダクト５が、集塵部１８の背面を支持枠１の左端側に移動したときに、吸引ノズル３の移動に支障のない大きさとしており、吸引ノズル３が左右に移動するときには、吸引ノズル３の下端は集塵部１８の背面を通過し、エアフィルター２の上下方向に亘って、確実に塵埃を収集することができる。
【００１９】
次に、吸引ノズル３の構成について図２〜図４を用いて説明する。吸引ノズル３は、吸引した風の流通路を構成するノズル８と、ノズル８を囲むように設けられたフィルム９と、フィルム９を支持して駆動力を伝えるギヤ１４と、フィルム９を支持して円滑に駆動させるためのローラー１５ａ、１５ｂ、１５ｃから構成される。
【００２０】
ノズル８のエアフィルター側の面には、エアフィルター２の縦長さに相当する長さでスリット状のノズル開口部１０が設けてある。一方、フィルム９はループ状に形成され、ノズル開口部１０を覆うようにノズル８の外周に巻き付けられ、エアフィルター側の面は、ノズル開口部１０に相当する開口部１６が設けられた、フィルムガイド１７で支持されている。
【００２１】
そして、図４に示すように、フィルム９にはスリット状の吸引孔１１が設けてあり、吸引孔１１の位置が、ノズル開口部１０に相対する位置に取り付けられている。フィルム９の両端には等間隔の駆動穴１２が設けられており、ステッピングモータ１３を連結したギヤ１４が、駆動穴１２に噛み合わさることによってフィルム９は上下方向のいずれにも自在に駆動できるようになっている。
【００２２】
そして、フィルム９の上下への移動と吸引ノズル３の左右への移動により、フィルム９の吸引孔１１がエアフィルター２の全体を順次移動してエアフィルター２の表面の埃を吸引するようになっている。
【００２３】
また、次に集塵部１８の構成について図５〜図１０を用いて説明する。集塵部１８は、関連部品を組み込んだ状態では図５のような外観であるが、分解すると図６のように集塵固定枠１９と集塵箱２０と接合ピース２１で構成されている。
【００２４】
図６において、集塵固定枠１９は、集塵箱２０を搭載する箱形状の搭載部２２と、一方の外側に突き出して吸引ダクト５と接合する円筒形のダクト接合部２３と、他方の外側に突き出して吸引装置６と接合する二重壁構成の装置接合部２４で構成される。
【００２５】
また、ダクト接合部２３の下側には、同じく外側に突き出した形でガイドピン受け２５が形成され、ダクト接合部２３とガイドピン受け２５は、ダクト連結壁２６で一体に形成され、ダクト連結壁２６は、前記の搭載部２２とつながっている。
【００２６】
また、装置接合部２４の装置連結壁２７には、装置接合部２４と同様の接合溝２８が形成される。装置連結壁２７は同様に搭載部２２とつながっている。そして、集塵固定枠１９は、吸引ノズル３の移動に支障ないように前記支持枠１に固定される。
【００２７】
また、接合ピース２１は、円筒形のリング部２９とガイドピン３０と抜け防止爪３１とストッパー３２で構成される。そして、接合ピース２１は、リング部２９とガイドピン３０が、それぞれ前記のダクト接合部２３とガイドピン受け２５に内側から挿入されて、またその外壁がダクト接合部２３のダクト連結壁２６を被うようにして、ダクト接合部２３に装着される。
【００２８】
また、接合ピース２１に内壁には、図９のように前記接合溝２８のようなピース接合溝３３が形成される。この接合ピース２１は、リング部２９とガイドピン３０がガイドとなって左右方向に移動可能であり、抜け防止爪３１とストッパー３２でその位置が適宜規制される。
【００２９】
また、集塵箱２０は、図７に示すように埃を溜める集塵箱本体３４とそのカバーとなる集塵箱蓋３５と、吸引された埃を取り除く細かいメッシュ状の除塵フィルター３６で構成される。集塵箱本体３４の内部には、略右上がりの水平にフィルターレール３７ａが除塵フィルター３６の三辺を支持するように形成される。
【００３０】
このフィルターレール３７ａは、除塵フィルター３６を保持するとともに除塵フィルター３６周囲のシール性を確保するものである。また、集塵箱本体３４の右側には、内部が開口した筒状の集塵箱右リング３８が形成され、また、集塵箱本体３４左側には、同じく内部が開口した筒状の集塵箱左リング３９が形成される。また、除塵フィルター３６は、集塵箱２０の長手方向にその矩形の長辺を配置した樹脂枠付きのフィルターであり、前記のフィルターレール３７ａに収納される。
【００３１】
そして、集塵箱本体３４の正面に集塵箱本体３４と外周を一致させて集塵箱蓋３５が、その係止部４０ａ、４０ｂを係合させて取り付けられる。集塵箱蓋３５にもフィルターレール３７ｂが形成されているが、前記と同様に除塵フィルター３６の保持と周囲のシール性を確保するものである。
【００３２】
次に、このように構成された集塵箱２０の集塵固定枠１９への装着方法について説明する。まず、接合ピース２１を右側に移動した状態にした後、図８に示すように集塵箱２０を集塵固定枠１９に上方から臨ませて置いたのち、左側にスライドして前記接合溝２８に集塵箱左リング３９を挿入する。この状態で集塵箱２０の左側は、集塵固定枠１９にシール性を確保しながら固定される。このときの集塵箱２０及び集塵固定枠１９の右側の状態は、図９の（ａ）に示す通りであり、集塵箱２０と、集塵固定枠１９及び接合ピース２１には隙間がある状態である。
【００３３】
次に、図９の（ｂ）に示すように接合ピース２１を左側に移動して接合ピース２１のピース接合溝３３と集塵箱２０の集塵箱右リング３８を接合させる。接合ピース２１の移動は、集塵固定枠１９のダクト接合部２３とガイドピン受け２５の内部をそれぞれ接合ピース２１のリング部２９とガイドピン３０が滑らかに移動して行われる。
【００３４】
このように集塵箱２０の右側は、接合ピース２１を介して集塵固定枠１９にシール性を確保しつつ固定される。
【００３５】
つまり、集塵箱２０の集塵箱右リング３８とピース接合溝３３の接合で集塵箱２０と接合ピース２１は、シール性を確保した固定状態となり、また接合ピース２１は、集塵固定枠１９に対してダクト接合部２３の内部にリング部２９が挿入状態であり、またガイドピン受け２５にガイドピン３０がまた同じく挿入状態のため安定した形状保持とシールが確保できる。
【００３６】
もちろん、この状態の接合ピース２１の右側への移動は、接合ピース２１の内側に突き出したストッパー２１を集塵固定枠１９のダクト連結壁２８に少し干渉させて行われる。また、接合ピース２１の抜け防止爪３１は、接合ピース２１のダクト接合部２３からの脱落を防止するものである。
【００３７】
以上のような構成により、吸引装置６の吸引によりエアフィルター２上の埃は、吸引ノズル３の吸引孔１１からノズル開口部１０を経てノズル８内部に吸引され、さらに吸引ダクト５を経由して集塵部１８へと移動する。
【００３８】
そして、図１０に示すように集塵箱本体３４の除塵フィルター３６の下側のスペースに導かれ、埃は、除塵フィルター３６を通過するときそのフィルターで除去される。そして清掃された空気のみが除塵フィルター３６の上側に導かれて吸引装置６へ移動して排出される。
【００３９】
つまり、集塵箱本体３４の除塵フィルター３６の下側は、埃を溜めるスペースとなっている。そして、一定期間運転して埃が集塵部１８の集塵箱２０に溜まると、集塵部１８の接合ピース２１を移動して集塵箱２０を集塵固定枠１９から取り外し、集塵箱蓋３５を開いて捨てればよい。
【００４０】
このように吸引装置６でエアフィルター２から吸引された埃は、吸引装置６と吸引ダクト５の間に設けた集塵部１８に溜めることができるため室外へ排出する必要がなく空気調和機の設置場所の制約がなくなる。
【００４１】
また、集塵部１８は、吸引ダクト５の可動しない部分を集塵構造にしたもので空気調和機内部のスペースを有効活用して設けることができて余分なスペースが不要でコンパクトな形状とすることができる。
【００４２】
また、集塵部１８を支持枠１に固定された集塵固定枠１９と集塵固定枠１９の上部に設けられた集塵箱２０で構成し、集塵固定枠１９の一方を吸引ダクト５と他方を吸引装置６と接続すると共に、集塵箱２０を集塵固定枠１９に対して着脱自在に設けたから、集塵部１８の固定を安定させることができ、また集塵箱２０のメンテナンス性が向上する。
【００４３】
また、集塵固定枠１９の一方に接合溝２８を設け、また他方に左右にスライド可能な接合ピース２１を設け、集塵箱２０の一方を集塵固定枠１９の接合溝２８と接合させると共に、集塵箱２０の他方を接合ピース２１を介して集塵固定枠１９と接合させたものであるから、これにより、集塵固定枠１９と集塵箱２０を簡単に接合できて操作性が良好であるばかりでなくシール性も確保できる。
【００４４】
また、接合ピース２１にリング部２９とガイドピン３０を設けたから、接合ピース２１が集塵固定枠１９に対して滑らかに移動ができ、さらに操作性が向上する。
【００４５】
また、集塵箱２０の内部に集塵箱２０の長手方向にその矩形の長辺を配置した着脱可能な除塵フィルター３６を設けたから、フィルター面積を最大限にして埃を溜める量を増大させることができるばかりでなく、集塵箱２０の埃を捨てる作業が容易に出来ることになる。また、除塵フィルター２０を取り外して使用すれば、埃を従来のように吸引装置６から室外へ排出させる使い方も可能となり、汎用性が向上する。
【００４６】
また、除塵フィルター３６の外周には、フィルターレール３７ａ、３７ｂを配置したからフィルター外周のシール性を向上させて埃の除去漏れがなく良好なものとすることができる。
【産業上の利用可能性】
【００４７】
以上のように、本発明にかかる空気調和機のフィルター装置は、エアフィルターに付着した埃を自動で清掃でき、また集塵部で溜めることができるため、空気清浄機など空気中の埃を集塵するエアフィルターを装着した機器にも適用できる。
【符号の説明】
【００４８】
１  支持枠
２  エアフィルター
３  吸引ノズル
５  吸引ダクト
６  吸引装置
１８集塵部
１９  集塵固定枠
２０  集塵箱
２１  接合ピース
２８  接合溝
３６  除塵フィルター
【図１】
2011149588.tif 000003
【図２】
2011149588.tif 000004
【図３】
2011149588.tif 000005
【図４】
2011149588.tif 000006
【図５】
2011149588.tif 000007
【図６】
2011149588.tif 000008
【図７】
2011149588.tif 000009
【図８】
2011149588.tif 000010
【図９】
2011149588.tif 000011
【図１０】
2011149588.tif 000012